(57)【要約】【課題】本発明は、極めて商品価値の高い画期的なペットボトル細分化装置を提供することを目的とする。【解決手段】吸引手段２の吸引により内部が負圧となるケース状本体３を有し、このケース状本体３内には前記吸引手段２の吸引により回転する回転体４が設けられ、回転体４にはペットボトル１を装着するペットボトル装着部５が設けられ、このペットボトル装着部５に装着されたペットボトル１は前記回転体４の回転に伴い回転するように構成され、更に、前記ケース状本体３の前記吸引手段２による吸引側端部には前記ペットボトル装着部５に装着されたペットボトル１を削るペットボトル削り部６が設けられたものである。【選択図】図１
2011011385.tif 000002
【特許請求の範囲】
【請求項１】
ペットボトルを細分化するペットボトル細分化装置であって、吸引手段の吸引により内部が負圧となるケース状本体を有し、このケース状本体内には前記吸引手段の吸引により回転する回転体が設けられ、この回転体は前記吸引手段の吸引により前記ケース状本体内を回転しながら吸引方向にスライドするように構成され、前記回転体にはペットボトルを装着するペットボトル装着部が設けられ、このペットボトル装着部に装着されたペットボトルは前記回転体の回転に伴い回転するように構成され、更に、前記ケース状本体の前記吸引手段による吸引側端部には前記ペットボトル装着部に装着されたペットボトルを削るペットボトル削り部が設けられ、前記吸引手段の吸引により前記回転体が回転しながら吸引方向にスライドする際、前記回転体の回転に伴い回転するペットボトルが前記ペットボトル削り部に当接し、このペットボトルが削れて細分化されるように構成されていることを特徴とするペットボトル細分化装置。
【請求項２】
請求項１記載のペットボトル細分化装置において、前記ペットボトル装着部は、前記ペットボトルの口部が螺着される構造であることを特徴とするペットボトル細分化装置。
【請求項３】
請求項１，２いずれか１項に記載のペットボトル細分化装置において、前記ケース状本体には、前記ペットボトル削り部で削られた削り材を排出する削り材排出部が設けられ、この削り材排出部は他のペットボトルの口部が螺着される構造であることを特徴とするペットボトル細分化装置。
【請求項４】
請求項３記載のペットボトル細分化装置において、前記削り材排出部には、前記吸引手段の吸引を止めた際に開放する逆止弁が設けられていることを特徴とするペットボトル細分化装置。
【請求項５】
請求項１〜４いずれか１項に記載のペットボトル細分化装置において、前記ペットボトル削り部は、前記ケース状本体に内設される板状体に複数の貫通孔が設けられ、この板状体の表面にして前記回転体と対向する面に削り突部が設けられたものであることを特徴とするペットボトル細分化装置。
【請求項６】
請求項１〜５いずれか１項に記載のペットボトル細分化装置において、前記ケース状本体における前記吸引手段が接続される吸引手段接続部にはフィルターが設けられていることを特徴とするペットボトル細分化装置。
【請求項７】
請求項１〜６いずれか１項に記載のペットボトル細分化装置において、前記吸引手段として掃除機を採用したことを特徴とするペットボトル細分化装置。
【発明の詳細な説明】
【技術分野】
【０００１】
本発明は、ペットボトル細分化装置に関するものである。
【背景技術】
【０００２】
例えば家庭から排出される使用済みのペットボトルは、袋詰めした状態で排出されるのが一般的であるが、非常に嵩張って取扱性が悪い為、ゴミ収集所に出す側は勿論、ゴミ収集所から回収する側も厄介である。
【０００３】
従来においても、ペットボトルをリサイクルに適するよう細分化する装置として、例えば特開２００２−３３６７１４号に開示されるペットボトル切断装置（以下、従来例という。）が提案されている。
【０００４】
この従来例は、処理室内で回転する複数枚の回転刃とこれに対向して配置された固定刃とを備えた構造であり、処理室内に導入されたペットボトルを回転刃と固定刃とで切断するものである。
【先行技術文献】
【特許文献】
【０００５】
【特許文献１】特開２００２−３３６７１４号公報
【発明の概要】
【発明が解決しようとする課題】
【０００６】
しかしながら、従来例は、大掛かりな構造で仕様的にもコスト的にも家庭用として適していない為、ペットボトルを細分化する作業はペットボトルを回収した後のリサイクル業者が行っているのが現状である。
【０００７】
本発明は、ペットボトルの取扱性の悪さに鑑み、使用済みのペットボトルの発生源である例えば家庭においても気軽にペットボトルを細分化することができ、しかも、従来業者が行っていたペットボトルを細分化する作業を家庭で行うようにすることで、リサイクルする際のコストを低減でき、よって、リサイクルの促進が期待できるなど極めて商品価値の高い画期的なペットボトル細分化装置を提供するものである。
【課題を解決するための手段】
【０００８】
添付図面を参照して本発明の要旨を説明する。
【０００９】
ペットボトル１を細分化するペットボトル細分化装置であって、吸引手段２の吸引により内部が負圧となるケース状本体３を有し、このケース状本体３内には前記吸引手段２の吸引により回転する回転体４が設けられ、この回転体４は前記吸引手段２の吸引により前記ケース状本体３内を回転しながら吸引方向にスライドするように構成され、前記回転体４にはペットボトル１を装着するペットボトル装着部５が設けられ、このペットボトル装着部５に装着されたペットボトル１は前記回転体４の回転に伴い回転するように構成され、更に、前記ケース状本体３の前記吸引手段２による吸引側端部には前記ペットボトル装着部５に装着されたペットボトル１を削るペットボトル削り部６が設けられ、前記吸引手段２の吸引により前記回転体４が回転しながら吸引方向にスライドする際、前記回転体４の回転に伴い回転するペットボトル１が前記ペットボトル削り部６に当接し、このペットボトル１が削れて細分化されるように構成されていることを特徴とするペットボトル細分化装置に係るものである。
【００１０】
また、請求項１記載のペットボトル細分化装置において、前記ペットボトル装着部５は、前記ペットボトル１の口部１ａが螺着される構造であることを特徴とするペットボトル細分化装置に係るものである。
【００１１】
また、請求項１，２いずれか１項に記載のペットボトル細分化装置において、前記ケース状本体３には、前記ペットボトル削り部６で削られた削り材１’を排出する削り材排出部７が設けられ、この削り材排出部７は他のペットボトル１の口部１ａが螺着される構造であることを特徴とするペットボトル細分化装置に係るものである。
【００１２】
また、請求項３記載のペットボトル細分化装置において、前記削り材排出部７には、前記吸引手段２の吸引を止めた際に開放する逆止弁８が設けられていることを特徴とするペットボトル細分化装置に係るものである。
【００１３】
また、請求項１〜４いずれか１項に記載のペットボトル細分化装置において、前記ペットボトル削り部６は、前記ケース状本体３に内設される板状体６Ａに複数の貫通孔６ａが設けられ、この板状体６Ａの表面にして前記回転体４と対向する面に削り突部６ｂが設けられたものであることを特徴とするペットボトル細分化装置に係るものである。
【００１４】
また、請求項１〜５いずれか１項に記載のペットボトル細分化装置において、前記ケース状本体３における前記吸引手段２が接続される吸引手段接続部９にはフィルター10が設けられていることを特徴とするペットボトル細分化装置に係るものである。
【００１５】
また、請求項１〜６いずれか１項に記載のペットボトル細分化装置において、前記吸引手段２として掃除機を採用したことを特徴とするペットボトル細分化装置に係るものである。
【発明の効果】
【００１６】
本発明は上述のように構成したから、前述した従来例に比し、例えば仕様的にもコスト的にも家庭用として適した構造となり、例えば家庭においても気軽にペットボトルを細分化することができ、しかも、従来において業者が行っていたペットボトルを細分化する作業を例えば家庭で行うようにすることで、リサイクルする際のコストを低減でき、よって、リサイクルの促進が期待できるなど極めて商品価値の高い画期的なペットボトル細分化装置となる。
【図面の簡単な説明】
【００１７】
【図１】本実施例を示す斜視図である。
【図２】本実施例を示す分解斜視図である。
【図３】本実施例に係る要部を示す斜視図である。
【図４】本実施例の使用状態説明図である。
【図５】本実施例の使用状態説明図である。
【図６】本実施例の使用状態説明図である。
【図７】本実施例の使用状態説明図である。
【発明を実施するための形態】
【００１８】
好適と考える本発明の実施形態を、図面に基づいて本発明の作用を示して簡単に説明する。
【００１９】
吸引手段２による吸引により回転体４が回転しながら吸引方向にスライドすると、この回転体４のペットボトル装着部５に装着されたペットボトル１も回転しながらペットボトル削り部６に当接し、削れて細分化される。
【００２０】
前述したように本発明は、ペットボトル１を回転させつつスライドさせながら削って細分化するという極めて効率が良くてコンパクト化に適した構造、即ち、最小限のスペースでペットボトル１を細分化する構造であり、よって、装置自体を可及的に小型化することができ、しかも、構造が簡易であるからコスト安にして量産性に秀れる為、例えば仕様的にもコスト的にも家庭用として適した構造となる。
【００２１】
従って、例えば家庭においても気軽にペットボトル１を細分化することができ、しかも、従来において業者が行っていたペットボトル１を細分化する作業を例えば家庭で行うようにすることで、リサイクルする際のコストを低減でき、よって、リサイクルの促進が期待できることになる。
【実施例】
【００２２】
本発明の具体的な一実施例について図面に基づいて説明する。
【００２３】
本実施例は、ペットボトル１を細分化するペットボトル細分化装置であって、吸引手段２の吸引により内部が負圧となるケース状本体３を有し、このケース状本体３内には前記吸引手段２の吸引により回転する回転体４が設けられ、この回転体４は前記吸引手段２の吸引により前記ケース状本体３内を回転しながら吸引方向にスライドするように構成され、前記回転体４にはペットボトル１を装着するペットボトル装着部５が設けられ、このペットボトル装着部５に装着されたペットボトル１は前記回転体４の回転に伴い回転するように構成され、更に、前記ケース状本体３の前記吸引手段２による吸引側端部には前記ペットボトル装着部５に装着されたペットボトル１を削るペットボトル削り部６が設けられ、前記吸引手段２の吸引により前記回転体４が回転しながら吸引方向にスライドする際、前記回転体４の回転に伴い回転するペットボトル１が前記ペットボトル削り部６に当接し、このペットボトル１が削れて細分化されるように構成されたものである。
【００２４】
以下、本実施例に係る構成各部について詳細な説明をする。
【００２５】
ケース状本体３は、図１〜３に図示したように適宜な合成樹脂製の部材で形成した角筒状体であり、上面部には内部にペットボトル１を出し入れし得る開口部３ａが設けられ、この開口部３ａを閉塞する蓋体11が開閉自在に設けられている。尚、本実施例では２リットルタイプのペットボトル１まで収納可能としている。
【００２６】
また、ケース状本体３の一端部（図１中左側端部）は開口しており、この一端部には後述するガイド部13を構成するガイド棒13ａを支持する支持板材12が配設されている。
【００２７】
この支持板材12は、図１，２に図示したように適宜な合成樹脂製の部材で形成したものであり、中央部には貫通孔12ａが形成され、この貫通孔12ａは、ケース状本体３の一端開口部と共に後述する吸引手段接続部９に接続した吸引手段２で吸引する際の空気吸入孔として機能する。
【００２８】
また、ケース状本体３の内部には後述する回転体４（スライド体14）をガイドするガイド部13が設けられている。
【００２９】
具体的には、このガイド部13は、図１，２に図示したように複数（４本）の金属製のガイド棒13ａをケース状本体３の内部長さ方向に所定間隔を介して配設して構成されており、この各ガイド棒13ａは、ケース状本体３の一端部に配設される支持板材12と後述するペットボトル削り部６に係る板状体６Ａとの間に架設されている。
【００３０】
ペットボトル削り部６は、図１，２に図示したように適宜な合成樹脂製の部材で形成した板状体６Ａで構成され、この板状体６Ａはケース状本体３の内部にして他端部寄りの位置に仕切り状態で螺子止めされている。
【００３１】
また、板状体６Ａには複数のスリット状の貫通孔６ａが設けられている。
【００３２】
この貫通孔６ａは、板状体６Ａの中央位置から放射状に設けられており、吸引手段２で吸引する際の空気流通孔として機能し、後述する削り突部６ｂにより削られて細分化された削り材１’の通路となる。尚、貫通孔６ａの形状や数は適宜設計変更し得るものである。
【００３３】
また、板状体６Ａの表面にして回転体４と対向する面には削り突部６ｂが多数設けられている。
【００３４】
この削り突部６ｂは、板状体６Ａの表面に格子状に設けられた先鋭凸条であり、この削り突部６ｂにペットボトル１を軸回転させながら押しつけた際、ペットボトル１は擦れることで削れて粉状の削り材１’に細分化される。尚、削り突部６ｂの形状や数は適宜設計変更し得るものである。
【００３５】
また、板状体６Ａの表面中央位置には突き刺し部６ｃが突設されている。
【００３６】
この突き刺し部６ｃは、図２に図示したように突出部６ｃ’の先端に該突出部６ｃ’よりも径大の先鋭部６ｃ”を設けて構成されており、この突き刺し部６ｃに吸引手段２の吸引によりペットボトル１を軸回転させて押し付けた際、先鋭部６ｃ”はペットボトル１の底部１ｃに突き刺さった後に抜け止め係止する。
【００３７】
従って、ペットボトル１の底部１ｃは、ペットボトル１を削る際に側面部１ｂと分離することになるが、突き刺し部６ｂがこの底部１ｃに突き刺さって保持することになり、よって、底面部１ｂから分離した底部１ｃが暴れて細分化の邪魔になることを防止する。
【００３８】
また、ケース状本体３の他端部には吸引手段接続部９が設けられている。
【００３９】
この吸引手段接続部９は、図１，２，３に図示したようにケース状本体３の他端部（図１中右側端部）を径小となる円筒形状に形成して構成され、この吸引手段接続部９に吸引手段２としての掃除機のノズル２ａを被嵌装着するように構成されている。この吸引手段接続部９の径は、種々提案される掃除機２のノズル２ａの径が考慮されて適宜設定される。尚、ノズル２ａを差し込みにより装着するようにしても良い。
【００４０】
また、ケース状本体３にはペットボトル削り部６で削った削り材１’を排出する削り材排出部７が設けられている。
【００４１】
この削り材排出部７は、図３，４に図示したようにケース状本体３の他端部側の下面部に下方に向けて突出形成して構成されており、この削り材排出部７にはペットボトル１の口部１ａ（周面に螺子条が形成された雄螺子部）を螺着し得るように構成されている。
【００４２】
また、削り材排出部７には逆止弁８が設けられている。
【００４３】
この逆止弁８は、板材を枢着して構成されており、吸引手段２の吸引により起き上がって削り材排出部７を閉塞するように構成されている。
【００４４】
従って、ケース状本体３は、吸引手段２で吸引している間は開口している部分は空気吸入孔12ａのみであり、内部は負圧となる。
【００４５】
回転体４は、図１，２に図示したように適宜な合成樹脂製の部材で形成したものであり、後述するスライド体14に回転自在に軸着される軸部４ａの周囲に羽根材４ｂを複数突設して構成されている。
【００４６】
この回転体４は、吸引手段２の吸引によりケース状本体３内に生じる空気流により回転するように構成されている。
【００４７】
この羽根材４ｂは、吸引手段２の吸引により回転する際、回転体４の回転方向が左回りとなるように向きが設定されている。これはペットボトル１の口部１ａに形成される螺子条の方向（右螺子）と逆に設定されており、ペットボトル１が軸回転することで後述する雌螺子部４ｃから外れるのを防止する為である。
【００４８】
また、回転体４の軸部４ａには雌螺子部４ｃが設けられており、ペットボトル１の口部１ａを螺着し得るペットボトル装着部５として構成されている。
【００４９】
従って、このペットボトル装着部５に装着されたペットボトル１は、回転体４が回転することで軸回転することになる。
【００５０】
スライド体14は、図２に図示したように適宜な合成樹脂製の部材で形成したものであり、四隅にガイド棒13ａが貫通され、この各ガイド棒13ａにガイドされてケース状本体３内を該ケース状本体３の長さ方向にスライド自在に設けられている。
【００５１】
従って、スライド体14は吸引手段２の吸引によりケース状本体３内が負圧となって吸い込み作用を受けることでケース状本体３内をスライドすることになり、このスライド体14に設けられる回転体４はガイド部13に対してスライド体14がスライドすることでケース状本体３内を吸い込み方向に回転しながらスライドすることになる。
【００５２】
以上の構成から成る本実施例に係るペットボトル細分化装置の使用状態について説明する。
【００５３】
先ず、図４に図示したように蓋体11を開放して開口部３ａからペットボトル１をケース状本体３内に配し、ペットボトル１の口部１ａをペットボトル装着部５に螺着装着するとともに、吸引手段装着部９に吸引手段２のノズル２ａを被嵌装着する。
【００５４】
続いて、図５，６に図示したように吸引手段２を作動すると、ガイド部13に対してスライド体14がスライドすることで回転体４は回転しながら吸引方向にスライドし、この回転体４のペットボトル装着部５に装着されたペットボトル１は軸回転しながらペットボトル削り部６の削り突部６ｂに当接し、削れて細分化される。この際、細分化された削り材１’は吸引により貫通孔６ａを通過して削り材排出部７に送られ、逆止弁８で閉塞される部位に溜まる。
【００５５】
続いて、図７に図示したように吸引手段２を停止すると、逆止弁８は自重で開放し、削り材１’は削り材排出部７に装着されたペットボトル１内に排出される。
【００５６】
本実施例は上述のように構成したから、ペットボトル１を回転させつつスライドさせながら削るという極めて効率が良くてコンパクト化に適した構造であり、よって、装置自体を可及的に小型化することができ、しかも、構造が簡易であるからコスト安にして量産性に秀れる為、例えば仕様的にもコスト的にも家庭用として適した構造であり、よって、例えば家庭においても気軽にペットボトル１を細分化することができ、しかも、従来において業者が行っていたペットボトル１を細分化する作業を例えば家庭で行うようにすることで、リサイクルする際のコストを低減でき、よって、リサイクルの促進が期待できることになる。
【００５７】
また、本実施例は、ペットボトル装着部５は、ペットボトル１の口部１ａを螺着自在に設けた構造であるから、既存のペットボトル１の口部１ａの構造を利用した極めて効率の良い構造となる。
【００５８】
また、本実施例は、ペットボトル削り部６で削った削り材１’を排出する削り材排出部７をケース状本体３に設け、この削り材排出部７に他のペットボトル１の口部１ａを螺着自在に設けたから、既存のペットボトル１の口部１ａの構造を利用した極めて効率の良い構造となる。
【００５９】
また、本実施例は、削り材排出部７には、吸引手段２の吸引を止めた際に開放する逆止弁８が設けられているから、吸引手段２が作動している間は逆止弁８よりも下流側にある削り材１’（削り材排出部７に装着されたペットボトル１内に排出された削り材１’）を吸い込む心配はない。
【００６０】
また、本実施例は、ペットボトル削り部６は、ケース状本体３に配設される板状体６Ａに複数の貫通孔６ａが設けられると共に、この板状体６Ａの表面にして前記回転体４と対向する面に削り突部６ｂが設けられたものであるから、吸引手段２の吸引により削った削り材１’を確実に下流側に送ることができる。
【００６１】
また、本実施例は、ケース状本体３における吸引手段２が接続される吸引手段接続部９にはフィルター10が設けられているから、吸引手段２へは粉状の削り材１’は吸い込まれず、削り材排出部７から排出させることができる。
【００６２】
また、本実施例は、吸引手段２として掃除機を採用したから、より一層家庭用として適したものとなる。
【００６３】
尚、本発明は、本実施例に限られるものではなく、各構成要件の具体的構成は適宜設計し得るものである。
【産業上の利用可能性】
【００６４】
本発明は、例えば家庭において排出する使用済みのペットボトルを細分化するペットボトル細分化装置に有用である。
【符号の説明】
【００６５】
１  ペットボトル
１ａ  口部
１’  削り材
２  吸引手段
３  ケース状本体
４  回転体
５  ペットボトル装着部
６  ペットボトル削り部
６Ａ  板状体
６ａ  貫通孔
６ｂ  削り突部
７  削り材排出部
８  逆止弁
９  吸引手段接続部
10  フィルター
【図１】
2011011385.tif 000003
【図２】
2011011385.tif 000004
【図３】
2011011385.tif 000005
【図４】
2011011385.tif 000006
【図５】
2011011385.tif 000007
【図６】
2011011385.tif 000008
【図７】
2011011385.tif 000009